【誤訳訂正書】
【提出日】平成20年12月17日(2008.12.17)
【誤訳訂正１】
【訂正対象書類名】明細書
【訂正対象項目名】全文
【訂正方法】変更
【訂正の内容】
【書類名】      明細書
【発明の名称】  血管内ステント装置
【特許請求の範囲】
【請求項１】  薄い壁部、基端部、及び先端部を持つ、小径の骨格管状部材を有する自己拡張型ステント装置であって、
前記壁部は互いに連結された複数の水平方向で反転していないＳ字形部材及び水平方向で反転しているＳ字形部材から形成された複数のセルを有し、前記互いに連結された前記Ｓ字形部材は前記管状部材の長手軸に対して略平行であり、互いに連結された前記各Ｓ字形部材が基端部、先端部、基端側中間部分、及び先端側中間部分を有しており、
前記各水平方向で反転していないＳ字形部材の前記基端部が隣接する前記水平方向で反転しているＳ字形部材の前記先端側中間部分に取り付けられ、前記各水平方向で反転していないＳ字形部材の前記先端部が別の隣接する前記水平方向で反転しているＳ字形部材の前記基端側中間部分に取り付けられ、前記各水平方向で反転しているＳ字形部材の前記基端部が隣接する前記水平方向で反転していないＳ字形部材の前記先端側中間部分に取り付けられ、前記各水平方向で反転しているＳ字形部材の前記先端部が別の隣接する前記水平方向で反転していないＳ字形部材の前記基端側中間部分に取り付けられた構造からなる反復パターンを前記互いに連結されたＳ字形部材を有する自己拡張型ステント装置。
【請求項２】  薄い壁部、基端部、及び先端部を持つ小径の骨格管状部材を有する自己拡張型ステント装置であって、
前記壁部が互いに連結されたシヌソイド部材から形成された複数のセルからなり、前記シヌソイド部材が前記管状部材の長手軸に対して略平行であり、前記各シヌソイド部材が正弦曲線の１周期半に亘って延在し、基端部、先端部、基端側ピーク、及び先端側ピークを有しており、
前記各シヌソイド部材の前記先端部が隣接する前記シヌソイド部材の前記先端側ピークに取り付けられ、前記各シヌソイド部材の前記先端部が別の隣接する前記シヌソイド部材の前記基端側ピークに取り付けられた反復パターンを前記シヌソイド部材が有する自己拡張型ステント装置。
【請求項３】  薄い壁部、基端部、及び先端部を持つ小径の管状部材を有する自己拡張型動脈瘤カバーであって、
前記壁部が複数の互いに連結された水平方向で反転していないＳ字形部材及び水平方向で反転しているＳ字形部材から形成された複数のセルからなり、
互いに連結された前記Ｓ字形部材が前記管状部材の長手軸に対して略平行であり、
前記各Ｓ字形部材が基端部、先端部、基端側中間部分、及び先端側中間部分を有しており、
前記各水平方向で反転していないＳ字形部材の前記基端部が隣接する前記水平方向で反転しているＳ字形部材の前記先端側中間部分に取り付けられ、
前記各水平方向で反転していないＳ字形部材の前記先端部が別の隣接する前記水平方向で反転しているＳ字形部材の前記基端側中間部分に取り付けられ、
前記各水平方向で反転しているＳ字形部材の前記基端部が隣接する前記水平方向で反転していないＳ字形部材の前記先端側中間部分に取り付けられ、
前記各水平方向で反転しているＳ字形部材の前記先端部が別の隣接する前記水平方向で反転していないＳ字形部材の前記基端側中間部分に取り付けられた構造からなる反復パターンを互いに連結された前記Ｓ字形部材が有する自己拡張型動脈瘤カバー。
【発明の詳細な説明】
【０００１】
【発明の属する技術分野】
本発明は、体内の血管内に埋設するための血管内装置に関し、特に、血管疾患の治療に用いられ得るステント装置に関する。具体的には、脳に起こりうる動脈瘤の治療に用いられるように、動脈瘤カバーの形態を取り得る血管内装置である。
【０００２】
【従来の技術】
１９９７年に、全世界で１００万件近くのバルーン血管形成術が、病巣や収縮による血管の詰まりや狭窄を含む血管疾患の治療のために行われた。この手術の目的は、血液が流れる血管の通路すなわち内腔の内径又は断面積を大きくすることである。
【０００３】
別の重篤な血管障害は、血管から半径方向に隆起又は半球形状に突き出てしまう血管壁の弱くなった領域である。このような障害を動脈瘤と呼ぶ。動脈瘤を治療しないで放置すると動脈瘤の拡張が続き、やがて破裂して血管から出血が起こる。
【０００４】
再狭窄を防止するため又は外科手術をしないで何とか動脈瘤を治療するために、金属やポリマーから形成される短寸の可撓性シリンダーすなわち骨格を血管内に埋設して、血流の維持又は改善を図ることが多い。ステント装置には様々なタイプがあって、病変した血管の補強、閉塞した血管の拡張、及び動脈瘤の圧力を開放するための内腔の画定に用いられている。ステントはより速い速度で血管を流すようにする。一方、所望の内腔の孔または損傷を受けた血管によって失われる構造的に完全な状態を提供する。いくつかのステントは「バルーン拡張」可能なステントとして、バルーンカテーテルを膨らますことにより適当なサイズまで拡張される。一方、他のものは「自己拡張」の態様で外からの加圧に可塑的に抗うように設計されている。
【０００５】
バルーン拡張可能ステント及び自己拡張型ステントは、通常はカテーテルを利用した運搬装置を用いて圧縮して径を小さくした柱状の形で運搬され血管内に埋設される。血管内の目的の部位に埋設した後、これらの装置はバルーンによって又は自己拡張式に所望の直径に拡張される。
【０００６】
腹部大動脈瘤治療のためのこのようなステントの１つが、Letendreらに付与された米国特許第６，２６７，７８３号に開示されている。この特許には、大動脈瘤の治療に用いることができる拡張可能なステントが開示されている。この装置は一旦取り外された後容易に再補され、血管内の新たな位置に容易に再度埋設することができる。関連会社に譲渡されたこの特許は後に言及するが、引用することによって本明細書の一部をなす。
【０００７】
別の動脈瘤治療用ステント装置が、本願と同一の譲受人へ譲渡された米国特許第６，３６１，５５８号に開示されている。この特許には血管に沿った様々な部位にある動脈瘤の全体又は一部を塞ぐための動脈瘤カバーとして使用可能な様々な構造の血管内ステントが開示されている。
【０００８】
【発明が解決しようとする課題】
微小カテーテルで脈管構造部位へ容易に運搬することがであって、再度埋設することができ、更に半径方向の圧縮下で、十分な構造保持能力及び弾性を提供する、改良されたステントの要望がある。より具体的には、ステントを送る前には、圧縮状態で極めて小さい直径の状態を持つようなステントが必要とされている。このようなステントは、人の脳血管内に埋設されるように、微小なマイクロカテーテルに取り付けることが可能であろう。明らかにこのような血管はその長手方向で極端に細く激しく蛇行している。
【０００９】
【課題を解決するための手段】
本発明の一態様によれば、小径の骨格管状部材を含む自己拡張型ステントが提供される。この骨格管状部材は互いに連結された複数の水平方向で反転しているＳ字形部材及び水平方向で反転していないＳ字形部材から形成された複数のセルからなる。Ｓ字形部材は管状部材の長手軸に対して略平行であって、反復パターンで互いに連結されている。Ｓ字形部材の各々は、基端部、先端部、基端側中間部分、及び先端側中間部分を持つ。それぞれの水平方向で反転していないＳ字形部材の基端部が、隣接する水平方向で反転しているＳ字形部材の先端側中間部分に取り付けられ、それぞれの水平方向で反転していないＳ字形部材の先端部が、別の隣接する水平方向で反転しているＳ字形部材の基端側中間部分に取り付けられ、それぞれの水平方向で反転しているＳ字形部材の基端部が、隣接する水平方向で反転していないＳ字形部材の先端側中間部分に取り付けられ、それぞれの水平方向で反転しているＳ字形部材の先端部が、別の隣接する水平方向で反転していないＳ字形部材の前記基端側中間部分に取り付けられている。このような構造により、隣接するＳ字形部材がぴったり重なるため、骨格管状部材は極めて小さい直径まで圧縮されうる。
【００１０】
本発明の別の態様によれば、骨格管状部材が小さい直径となるように圧縮されると、それぞれの水平方向で反転していないＳ字形部材の各基端側中間部分が、隣接する水平方向で反転しているＳ字形部材の先端部を引張り、それぞれの水平方向で反転していないそれぞれのＳ字形部材の各先端側中間部分が、別の隣接する水平方向で反転しているＳ字形部材の基端部を引張り、それぞれの水平方向で反転しているＳ字形部材の各基端側中間部分が、隣接する水平方向で反転していないＳ字形部材の先端部を引張り、それぞれの水平方向で反転しているＳ字形部材の各先端側中間部分が、隣接する水平方向で反転していないＳ字形部材の基端部を引張るので、Ｓ字形部材の「セル」がぴったり重なり、管状部材の直径が小さくなる。
【００１１】
本発明の別の態様によれば、骨格管状部材はその管状部材の長手軸に略平行に延在するように少なくとも２つの基端部脚を含む。基端部脚の少なくとも１つは、ステント開放機構に取り付けるためのその基端部脚の端部に隣接したＴ字形フランジを有する。
【００１２】
本発明の別の態様によれば、脚は骨格管状部材の長手軸から外側へ向けて偏位するようになっている。脚は、血管内にステント装置を埋設するときに、そのステント装置の位置を示すための放射線不透過性マーカーをも含む。
【００１３】
本発明の別の態様によれば、骨格管状部材は、その長手軸に対して略平行に延在するように先端部脚を含みうる。これらの脚もまた、位置情報を提供するための放射線不透過性マーカーを含みうる。
【００１４】
本発明のさらなる別の態様によれば、小径の骨格管状部材を含む自己拡張型ステント装置を提供する。骨格管状部材の壁部は、互いに連結されたシヌソイド部材によって形成された複数のセルからなる。シヌソイド部材は、管状部材の長手軸に対して略平行である。シヌソイド部材の各々は、正弦波１周期半または略５４０度の間に延在している。各シヌソイド部材は、基端部、先端部、基端側ピーク、及び先端側ピークを持つ。シヌソイド部材は、それぞれのシヌソイド部材の基端部が隣接するシヌソイド部材の先端側ピークに取り付けられた反復パターンを持つ。また、それぞれのシヌソイド部材の先端部は、別の隣接するシヌソイド部材の基端側ピークへ取り付けられている。
【００１５】
本発明の別の態様によれば、圧縮された状態では、それぞれのシヌソイド部材の基端側ピークが、隣接するシヌソイド部材の先端部を引っ張り、それぞれのシヌソイド部材の先端側ピークが隣接するシヌソイド部材の基端部を引っ張るため、壁部のセルが折り畳まれ、すなわちぴったり重なり、その結果、骨格管状部材を小さく圧縮された直径となるようにする。
【００１６】
本発明の別の態様によれば、血管の動脈瘤を横切って配置されるとその動脈瘤とその関連血管との間の血液の流れを減少又は遮断する自己拡張型動脈瘤カバーを提供する。動脈瘤カバーは、複数のセルを有する小径の骨格管状部材を含む。複数のセルは、互いに連結された水平方向で反転していないＳ字形部材及び水平方向で反転しているＳ字形部材により形成されている。Ｓ字形部材は管状部材の長手軸に対して略平行であって、反復パターンで互いに連結されている。それぞれの水平方向で反転していないＳ字形部材の基端部が、隣接する水平方向で反転しているＳ字形部材の先端側中間部分に取り付けられ、それぞれの水平方向で反転していないＳ字形部材の先端部が、別の隣接する水平方向で反転しているＳ字形部材の基端側中間部分に取り付けられ、それぞれの水平方向で反転しているＳ字形部材の基端部が、隣接する水平方向で反転していないＳ字形部材の先端側中間部分に取り付けられ、それぞれの水平方向で反転しているＳ字形部材の先端部が、別の隣接する水平方向で反転していないＳ字形部材の基端側中間部分に取り付けられている。このような構造を用いることにより、隣接するＳ字形部材がぴったり重なることにより極めて小さく骨格管状部材の直径を圧縮しうる。
【００１７】
【発明の実施の形態】
本発明の上記の特徴及びその他の特徴、並びに本発明の利点は、本発明の好適な実施の形態の図面を用いた説明からより明確に理解できよう。
【００１８】
図１は、自己拡張型ステント装置１０を示す図である。このステント装置１０は、レーザー切断され、ニッケル−チタン合金による薄い壁部を有する骨格管状部材１１を形成する。一回切断されると、管状部材１１の壁部１２は、多数の開口又はセル１４を含むことになる。骨格管状部材１１が動脈瘤上に渡り埋設される場合、医師はセル１４を介して動脈瘤内に塞栓コイル又はその他の同様の装置を運搬することができる。管状部材１１はまた、動脈瘤の開口部を塞ぎ、又は一部のみを塞ぎ、動脈瘤内への血流を完全に又は部分的に遮断するように機能する。さらに、管状部材１１は塞栓コイルなどの医療装置が動脈瘤からずれることを防ぐ。
【００１９】
骨格管状部材１１の好適な長さは、約０．２０２ｃｍ乃至８．００１ｃｍ（０．０７９５インチ乃至３．１５インチ）の範囲をとりうる。管状部材１１の直径は、埋設する部分の構造によって異なる。埋設されていない状態又は拡張した状態では、管状部材１１の直径は約１．０１６ｃｍ（約０．４インチ）まで拡張し得る。骨格管状部材１１は、配置カテーテルの内腔内に適合するように、その直径を約０．０３６ｃｍ（約０．０１４インチ）まで圧縮される。
【００２０】
骨格管状部材１１の基端部１６に、管状部材１１から長手方向に延在する３つの基端部脚１８，１８ａ，及び１８ｂが取り付けられている。基端部脚１８，１８ａ，及び１８ｂは、管状部材１１の長手軸から外側に偏位しているのが好ましい。このような外側に偏位した構造は、後述する配置装置の補助になる。
【００２１】
Ｔ字形又はＩ字形のアタッチメントフランジ２０，２０ａ，及び２０ｂは基端部脚１８，１８ａ，及び１８ｂがそれぞれの先端部に取り付けられている。図２は、Ｔ字形又はＩ字形のフランジ２０，２０ａ，及び２０ｂの詳細を示す図である。骨格管状部材１１の先端部２１に、管状部材１１から離れていく方向の長手方向外側に延出するように２つの先端部脚２２及び２２ａが取り付けられている。
【００２２】
図２は、骨格管状部材１１からさらにレーザー切断されＴ字形又はＩ字形のアタッチメントフランジ２０の１つの詳細が示されている。このアタッチメントフランジ２０は、基端部脚１８の基端部に位置する。Ｔ字形又はＩ字形のアタッチメントフランジ２０は、管状部材１１の壁部１２と一致するように基端部脚１８上で僅かにアーチ形になっていて向きが合わせられている。
【００２３】
図３は、骨格管状部材１１の反復したセルのパターンを示す図である。このセルパターンは、互いに連結された水平方向で反転していないＳ字形部材２４と水平方向で反転しているＳ字形部材２６から形成され得る。それぞれのＳ字形部材は、基端部２８、基端側中間部分３０、基部３１、先端側中間部分３２、及び先端部３４を有する。水平方向で反転していないＳ字形部材２４は、骨格管状部材１１の軸に対して水平方向に延在するわずかに扁平のＳ字形構造であって、上側の基端側中間部分３１を有する。水平方向で反転しているＳ字形部材２６は、骨格管状部材１１の軸に対して水平方向に延在するわずかに扁平のＳ字形構造であって、下側の基端側中間部分３１を有する。基端部２８は、Ｓ字形部材の左側の端部である。水平方向で反転していないＳ字形部材２４の基端側中間部分３０は、Ｓ字形部材の負（下）のピークである。水平方向で反転しているＳ字形部材２６の基端側中間部分３０は、Ｓ字形部材の正（上）のピークである。基部３１は、Ｓ字形部材の基端部２８と基端側中間部分３０との間の部分である。水平方向で反転していないＳ字形部材２４の先端側中間部分３２は、Ｓ字形部材の正のピークである。水平方向で反転しているＳ字形部材２６の先端側中間部分３２は、Ｓ字形部材の負のピークである。先端部３４は、Ｓ字形部材の右側の端部である。
【００２４】
Ｓ字形部材は、Ｓ字形部材ぴったりした重なりが最大となるように相互に連結されており、それによって運搬する際の骨格管状部材１１の圧縮直径を最小とさせる。それぞれの水平方向で反転していないＳ字形部材２４の基端部２８は、隣接する水平方向で反転しているＳ字形部材２６の先端側中間部分３２に連結されている。それぞれの水平方向で反転していないＳ字形部材２４の先端部３４は、別の隣接する水平方向で反転しているＳ字形部材２６の基端側中間部分３０に連結されている。それぞれの水平方向で反転しているＳ字形部材２６の基端部２８は、隣接する水平方向で反転していないＳ字形部材２４の先端側中間部分３２に連結されている。それぞれの水平方向で反転しているＳ字形部材２６の先端部３４は、別の隣接する水平方向で反転していないＳ字形部材２４の基端側中間部分３０に連結されている。Ｓ字形部材が互いに連結されているため、骨格管状部材１１のセル１４が縮み、管状部材１１を圧縮された直径を持つようにさせる。
【００２５】
骨格管状部材１１のセルパターンはまた、互いに連結されたシヌソイド部材３６により形成されるものと考えることもできる。それぞれのシヌソイド部材３６は、約１周期半又は略５４０度の周期を持つ。それぞれのシヌソイド部材３６は、基端部３８、基端側ピーク４０、先端側ピーク４２、及び先端部４４を有する。基端部３８は、シヌソイド部材３６の左側の端部である。基端側ピーク４０は、基端部３８の右側の最初のピークであり、正又は負の何れかのピークである。先端側ピーク４２は、基端部３８の右側から２番目のピークであり、正又は負の何れかのピークである。しかし、それぞれのシヌソイド部材３６は、唯１つの正のピークと唯１つの負のピークとを有する。先端部４４は、シヌソイド部材３６の右側の端部である。
【００２６】
シヌソイド部材３６は、シヌソイド部材のぴったりした重なりが最大となるように互いに連結され、それによって運搬される際の骨格管状部材１１の圧縮直径が最小となる。それぞれのシヌソイド部材３６の基端部３８は、隣接するシヌソイド部材３６の先端側ピーク４２へ連結されている。それぞれのシヌソイド部材３６の基端側ピーク４０は、別の隣接するシヌソイド部材３６の先端部４４へ連結されている。それぞれのシヌソイド部材３６の先端側ピーク４２は、別の隣接するシヌソイド部材３６の基端部３８へ連結されている。それぞれのシヌソイド部材３６の先端部４４は、さらに別の隣接するシヌソイド部材３６の基端側ピーク４０へ連結されている。シヌソイド部材３６がこのように相互に連結されているため、骨格管状部材１１のセル１４が縮み、管状部材１１について圧縮された直径を得るようにする。
【００２７】
さらに図３は、基端部脚１８，１８ａ，及び１８ｂ、並びに先端部脚２２及び２２ａを示す。Ｓ字形部材によって形成された反復したセルのパターンでは、基端部脚１８，１８ａ，及び１８ｂが、骨格管状部材１１の基端部１６で、水平方向で反転していないＳ字形部材２４の基端部２８へ連結している。先端部脚２２及び２２ａは、骨格管状部材１１の先端部２１で、水平方向で反転しているＳ字形部材２６の先端部３４に連結している。シヌソイド部材３６によって形成された反復したセルのパターンでは、基端部脚１８，１８ａ，及び１８ｂが、管状部材１１の基端部１６で、シヌソイド部材３６の基端部３８に連結されている。先端部脚２２及び２２ａは、管状部材１１の先端部２１で、シヌソイド部材３６の先端部４４に連結している。
【００２８】
本発明のステント装置は、別法として血管の狭窄及び再狭窄を防止するためにヘパリンやラパマイシン（rapamycing）などの薬剤で被覆しても良いことが理解できよう。このような被覆の例は、米国特許第５，２８８，７１１号、同第５，５１６，７８１号、同第５，５６３，１４６号、及び同第５，６４６，１６０号に開示されている。これらの特許の開示を参照することにより、本願の一部をなす。
【００２９】
図４は、ステント装置１０を埋設するための装置４６を示す図である。この埋設装置４６は、当業者にはよく知れている一般的なガイドカテーテルに類似した、本質的に細長い管状部材である外側の鞘４８を含む。埋設装置４６はまた、配置する前に外側の鞘４８内に同軸上に配置される内部シャフト５０を含む。内部シャフト５０は、先端部５２及び基端部（図示せず）を持つ。シャフト５０の先端部５２には、そこに配備された３つの溝５４，５４ａ，及び５４ｂを持つ。埋設装置４６が完全に埋設されていないときに、ステント装置１０は外側鞘４８内に配置される。管状部材１１の基端部脚１８，１８ａ，及び１８ｂに設けられているＴ字形又はＩ字形のアタッチメントフランジ２０，２０ａ，及び２０ｂを、内部シャフト５０の溝５４，５４ａ，及び５４ｂの内部に配置して、ステント装置１０を内部シャフト５０へ、取り外し可能に取り付ける。この埋設装置は、本明細書と同じ譲受人に付与された米国特許第６，２６７，７８３号に開示されている。また、この発明の開示は参照されることにより本明細書の一部をなす。
【００３０】
複数のセルを有するレーザー切断された骨格管状部材を含む、新規の自己拡張型ステント装置を開示した。本発明の好適な実施の形態を用いて説明してきたが、上記した請求の範囲から逸脱することなく当業者によって様々な改変が可能であることを理解できよう。
【００３１】
本発明の実施態様は以下の通りである。
（Ａ）  薄い壁部、基端部、及び先端部を持つ、小径の骨格管状部材を有する自己拡張型ステント装置であって、
前記壁部は互いに連結された複数の水平方向で反転していないＳ字形部材及び水平方向で反転しているＳ字形部材から形成された複数のセルを有し、前記互いに連結された前記Ｓ字形部材は前記管状部材の長手軸に対して略平行であり、互いに連結された前記各Ｓ字形部材が基端部、先端部、基端側中間部分、及び先端側中間部分を有しており、
前記各水平方向で反転していないＳ字形部材の前記基端部が隣接する前記水平方向で反転しているＳ字形部材の前記先端側中間部分に取り付けられ、前記各水平方向で反転していないＳ字形部材の前記先端部が別の隣接する前記水平方向で反転しているＳ字形部材の前記基端側中間部分に取り付けられ、前記各水平方向で反転しているＳ字形部材の前記基端部が隣接する前記水平方向で反転していないＳ字形部材の前記先端側中間部分に取り付けられ、前記各水平方向で反転しているＳ字形部材の前記先端部が別の隣接する前記水平方向で反転していないＳ字形部材の前記基端側中間部分に取り付けられた構造からなる反復パターンを前記互いに連結されたＳ字形部材を有する自己拡張型ステント装置。
（１）前記管状部材が、血管内を移動させるための小さな圧縮された直径と、前記血管の壁部に対して前記ステント装置が保持されるようにするための拡張した直径とを有し、通常は前記拡張した直径に拡張するようになっており、前記管状部材が圧縮されると、前記各水平方向で反転していないＳ字形部材の前記基端側中間部分が隣接する前記水平方向で反転しているＳ字形部材の前記先端部を引張り、前記各水平方向で反転していないＳ字形部材の前記先端側中間部分が別の隣接する前記水平方向で反転しているＳ字形部材の前記基端部を引張り、前記各水平方向で反転しているＳ字形部材の前記基端側中間部分が隣接する前記水平方向で反転していないＳ字形部材の前記先端部を引張り、前記各水平方向で反転しているＳ字形部材の前記先端側中間部分が別の隣接する前記水平方向で反転していないＳ字形部材の前記基端部を引張るために、前記壁部の前記セルが縮んで、前記管状部材の直径が前記圧縮された直径になる実施態様（Ａ）に記載の自己拡張型ステント装置。
（２）前記管状部材の前記基端部に、前記管状部材の前記長手軸に対して略平行に延在するように２つの基端部脚が設けられており、少なくとも前記基端部脚の１つがＴ字形アタッチメントフランジを有する実施態様（Ａ）に記載の自己拡張型ステント装置。
（３）前記基端部脚が、前記管状部材の前記長手軸から外側に偏位するようになっている実施態様（２）に記載の自己拡張型ステント装置。
（４）前記ステント装置が、ニッケル−チタン合金から形成される実施態様（１）に記載の自己拡張型ステント装置。
（５）前記基端部脚が放射線不透過性マーカーを含むことを特徴とする実施態様（２）に記載の自己拡張型ステント装置。
【００３２】
（６）前記管状部材の前記先端部に、前記管状部材の前記長手軸に対して略平行に延在するように少なくとも１つの先端部脚が設けられている実施態様（Ａ）に記載の自己拡張型ステント装置。
（７）前記先端部脚が放射線不透過性マーカーを含むことを特徴とする実施態様（６）に記載の自己拡張型ステント装置。
（Ｂ）  薄い壁部、基端部、及び先端部を持つ小径の骨格管状部材を有する自己拡張型ステント装置であって、
前記壁部が互いに連結されたシヌソイド部材から形成された複数のセルからなり、前記シヌソイド部材が前記管状部材の長手軸に対して略平行であり、前記各シヌソイド部材が正弦曲線の１周期半に亘って延在し、基端部、先端部、基端側ピーク、及び先端側ピークを有しており、
前記各シヌソイド部材の前記先端部が隣接する前記シヌソイド部材の前記先端側ピークに取り付けられ、前記各シヌソイド部材の前記先端部が別の隣接する前記シヌソイド部材の前記基端側ピークに取り付けられた反復パターンを前記シヌソイド部材が有する自己拡張型ステント装置。
（８）前記管状部材が、血管内を移動できる圧縮された直径、並びに前記血管内に埋設された後、前記血管に対して半径方向の力を加える拡張した大きな直径を有しており、前記管状部材が圧縮されると、前記各シヌソイド部材の前記基端側ピークが隣接する前記シヌソイド部材の前記先端部を引っ張り、前記各シヌソイド部材の前記先端側ピークが別の隣接する前記シヌソイド部材の前記基端部を引っ張るため、前記壁部の前記セルが縮んで、前記管状部材の直径が前記圧縮された直径になる実施態様（Ｂ）に記載の自己拡張型ステント装置。
（９）前記管状部材の前記基端部に、前記管状部材の前記長手軸に対して略平行に延在するように２つの基端部脚が設けられており、少なくとも前記基端部脚の１つがＴ字形アタッチメントフランジを有する実施態様（Ｂ）に記載の自己拡張型ステント装置。
（１０）前記基端部脚が、前記管状部材の前記長手軸から外側に延出するようになっている実施態様（９）に記載の自己拡張型ステント装置。
【００３３】
（１１）前記ステント装置が、ニッケル−チタン合金から形成される実施態様（８）に記載の自己拡張型ステント装置。
（１２）前記基端部脚が放射線不透過性マーカーを含む実施態様（９）に記載の自己拡張型ステント装置。
（１３）前記管状部材の前記先端部に、前記管状部材の前記長手軸に対して略平行に延在するように少なくとも１つの先端部脚が設けられている実施態様（Ｂ）に記載の自己拡張型ステント装置。
（１４）前記先端部脚が放射線不透過性マーカーを含む実施態様（１３）に記載の自己拡張型ステント装置。
（Ｃ）  薄い壁部、基端部、及び先端部を持つ小径の管状部材を有する自己拡張型動脈瘤カバーであって、
前記壁部が複数の互いに連結された水平方向で反転していないＳ字形部材及び水平方向で反転しているＳ字形部材から形成された複数のセルからなり、
互いに連結された前記Ｓ字形部材が前記管状部材の長手軸に対して略平行であり、
前記各Ｓ字形部材が基端部、先端部、基端側中間部分、及び先端側中間部分を有しており、
前記各水平方向で反転していないＳ字形部材の前記基端部が隣接する前記水平方向で反転しているＳ字形部材の前記先端側中間部分に取り付けられ、
前記各水平方向で反転していないＳ字形部材の前記先端部が別の隣接する前記水平方向で反転しているＳ字形部材の前記基端側中間部分に取り付けられ、
前記各水平方向で反転しているＳ字形部材の前記基端部が隣接する前記水平方向で反転していないＳ字形部材の前記先端側中間部分に取り付けられ、
前記各水平方向で反転しているＳ字形部材の前記先端部が別の隣接する前記水平方向で反転していないＳ字形部材の前記基端側中間部分に取り付けられた構造からなる反復パターンを互いに連結された前記Ｓ字形部材が有する自己拡張型動脈瘤カバー。
（１５）前記管状部材が、血管内を移動させるための小さな圧縮された直径と、血管内の壁部に対して前記動脈瘤カバーが保持されるようにするための拡張した直径とを有し、通常は前記拡張した直径に拡張するようになっており、前記管状部材が圧縮されると、前記各水平方向で反転していないＳ字形部材の前記基端側中間部分が隣接する前記水平方向で反転しているＳ字形部材の前記先端部を引張り、前記各水平方向で反転していないＳ字形部材の前記先端側中間部分が別の隣接する前記水平方向で反転しているＳ字形部材の前記基端部を引張り、前記各水平方向で反転しているＳ字形部材の前記基端側中間部分が隣接する前記水平方向で反転していないＳ字形部材の前記先端部を引張り、前記各水平方向で反転しているＳ字形部材の前記先端側中間部分が、別の隣接する前記水平方向で反転していないＳ字形部材の前記基端部を引張るため、前記壁部の前記セルが縮んで、前記管状部材の直径が前記圧縮された直径になる実施態様（Ｃ）に記載の自己拡張型動脈瘤カバー。
【００３４】
（１６）前記管状部材の前記基端部に、前記管状部材の前記長手軸に対して略平行に延在するように２つの基端部脚が設けられており、少なくとも前記基端部脚の１つが、Ｔ字形アタッチメントフランジを有する実施態様（Ｃ）に記載の自己拡張型動脈瘤カバー。
（１７）前記基端部脚が、前記管状部材の前記長手軸から外側に偏位するようになっている実施態様（１６）に記載の自己拡張型動脈瘤カバー。
（１８）前記動脈瘤カバーが、ニッケル−チタン合金から形成される実施態様（１５）に記載の自己拡張型動脈瘤カバー。
（１９）前記基端部脚が放射線不透過性マーカーを含む実施態様（１６）に記載の自己拡張型動脈瘤カバー。
（２０）前記管状部材の前記先端部に、前記管状部材の前記長手軸に対して略平行に延在するように少なくとも１つの先端部脚が設けられている実施態様（Ｃ）に記載の自己拡張型動脈瘤カバー。
（２１）前記先端部脚が放射線不透過性マーカーを含むことを特徴とする実施態様（２０）に記載の自己拡張型動脈瘤カバー。
【００３５】
【発明の効果】
収縮させて血管内を容易に移動させることができ、かつ血管内に保持されるように拡張するステント装置が提供される。
【図面の簡単な説明】
【図１】
本発明の好適な実施の形態に従って形成された血管内ステントの斜視図である。
【図２】
図１に示されている保持脚の基端部（１ａ部分）の拡大図である。
【図３】
管状ステントがある線に沿って切断され、単一面に平坦に配置された、図１に例を示した血管内ステントの立面図である。
【図４】
図２に示した保持脚の基端部の詳細、並びに血管内ステントと位置決めカテーテルとを連結する部材を示す図である。
【符号の説明】
１０  自己拡張型ステント装置
１１  骨格管状部材
１２  壁部
１４  セル
１６  基端部
１８，１８ａ，１８ｂ  基端部脚
２０，２０ａ，２０ｂ  アタッチメントフランジ
２１  先端部
２２  先端部脚